(57)【特許請求の範囲】
【請求項１】
グリップ部の上部に、該グリップ部と直交するようにモータ収容部を設け、このモータ収容部の左右両端に表面に渦巻き状の膨隆部を形成すると共に裏面に偏心錘部を形成した回転アタッチメントを取り付け、かつ上記一対の回転アタッチメントをそれぞれの膨隆部の渦巻きの向きを互いに逆方向にして取り付けると共に前記モータ収容部内のモータによって同一方向に回転させるようにした顔面マッサージ器。
【発明の詳細な説明】
【０００１】
【発明の属する技術分野】
本発明は、顔のシワや皮膚のたるみ等を除くために顔を効率的にマッサージする顔面マッサージ器に関するものである。
【０００２】
【従来の技術】
【特許文献１】
実開昭６０−１６０８３１号公報
【特許文献２】
特開昭５９−８０２４０号公報
【０００３】
女性は常に若く、美しくありたいと願い美容や美顔あるいはエステ等に非常に高い関心を持っていてそれらを熱心に行うが、特に顔の手入れは念入りに行う。そしてその中でも、加齢と共に増えてくる頬や目尻のシワや弛みを防ぐために入念に皮膚のマッサージを行っている。
【０００４】
そして、このように顔面のマッサージを行う場合に、多くの人は自分の手を使って行っているが、持続的により効率よく行うためにはマッサージ器を用いるのが良いと考えられており、従来においても種々の顔面マッサージ器が提供されている。
【０００５】
上記特許文献１および特許文献２に示された顔面マッサージ器は、これら従来品の一例であり、両者ともモータを駆動源として回転アタッチメントを回転させ、該回転アタッチメントを顔面に接触させてマッサージを行うものである。
【０００６】
しかしながら、これら従来の顔面マッサージ器には次の如き問題点がある。
（１）構造が複雑で部品点数が多い。この結果製品の製造コストが高くなる。
（２）顔面の右側或いは左側のマッサージを終えて反対側のマッサージに移るとき、モータの回転方向を一々切り換えなければならず、このための複雑な回路構成を必要とする。
（３）回転アタッチメントは単に回転するだけに過ぎないから、皮膚に刺激を与えることはできても、充分な血行促進効果を期待することはできない。
【０００７】
【発明が解決しようとする課題】
本発明は上記の点に鑑みなされたものであって、構造の簡略化により部品点数が少なく、また顔面を半分宛交互にマッサージする場合に、モータの回転方向を従来の如く一々切り換える必要がない。更に回転アタッチメントが回転しつつバイブレーションを起こすことにより、一層の血行促進効果を期待することができるようにした顔面マッサージ器を提供するものである。
【０００８】
【課題を解決するための手段】
上記課題を解決するために本発明の顔面マッサージは、グリップ部の上部に、該グリップ部と直交するようにモータ収容部を設け、このモータ収容部の左右両端に一対の回転アタッチメントを取り付けて構成する。そして、この一対の回転アタッチメントの表面に渦巻き状の膨隆部を形成すると共に裏面に偏心錘部を一体に形成する。さらに上記一対の回転アタッチメントを、それぞれの渦巻き状の膨隆部の渦巻きの向きを表面側から見て互いに逆方向になるようにして取り付けると共に前記モータ収容部内のモータによって同一方向に同時に回転させるように構成したことを要旨とするものである。
【０００９】
【発明の実施の形態】
以下、本発明の実施の形態について図面を参照しつつ説明する。
図１は顔面マッサージ器の全体の斜視図、図２は顔面マッサージ器の中央縦断正面図、図３は右側の回転アタッチメントの表面側から見た図、図４は右側の回転アタッチメントの裏面側から見た図、図５は左側の回転アタッチメントの表面側から見た図及び図６は左側の回転アタッチメントの裏面側から見た図である。
【００１０】
図に示すように、顔面マッサージ器１は全体としてＴ字形をしていて、グリップ部２の上部に、該グリップ部２と直交するようにモータ収容部３を設けた構成である。
【００１１】
図２において符号４は前記顔面マッサージ器１のモータ収容部３に内装したモータである。また、該モータ４は両側に回転軸４ａ、４ａが突出しているタイプのものであり、本実施形態では１００ボルト用が使用されている。そして符号５は上記モータ４の電源コードであり、スイッチ６とコンセント７を備えている。
【００１２】
上記顔面マッサージ器１のモータ収容部３の左右両端には一対の回転アタッチメント８，９が取り付けられている。この回転アタッチメントのうち、符号８は右側の回転アタッチメント、符号９は左側の回転アタッチメントである。この回転アタッチメント８，９は、それぞれ内部に差込穴８ｃ，９ｃが形成されていて、ここに前記モータ４の回転軸４ａ、４ａを挿入して固定することにより、モータ４によって回動可能としているのである。
【００１３】
そして上記二つの回転アタッチメント８，９のそれぞれの表面に渦巻き状の膨隆部８ａ，９ａを形成すると共に、裏面に偏心錘部８ｂ，９ｂを一体的に形成する。この場合、右側の回転アタッチメント８は渦巻きが右巻きであり、左側の回転アタッチメント９は左巻きである。そして、上記一対の回転アタッチメント８，９は、表面側から見てそれぞれ渦巻きの向きが逆方向になるようにして配設されていて、回転時には前記モータ４を駆動源として同一方向に同時に回転するのである。
【００１４】
次に、上記のように構成した本実施形態の作用について説明する。
顔面マッサージ器本体１のグリップ部２を握り、スイッチ６をＯＮにするとモータ４が作動を開始する。これにより一対の回転アタッチメント８，９が同時に回転し始める。そこで先ず右側の回転アタッチメント８を左側の頬に軽く押し当てる。このとき目尻を吊り上げるようにマッサージを行うようにするが、渦巻き状の膨隆部８ａが右回転をしながら皮膚を引きずり上げるようにしてのばすのである。
【００１５】
このとき回転アタッチメント８は偏心錘部８ａの作用によってバイブレーションを起こす。この場合、上記偏心錘部８ａと左右の対称位置に、回転アタッチメント９の偏心錘部９ａが形成されているため、回転アタッチメント８はわざとバランスを崩しながら回転している状態となる。そのため、バイブレーション効果が高まると共にマッサージ効果も高まり、一層の血行促進効果を期待することができるのである。
【００１６】
そして、右側の頬のマッサージを行うときには、モータ４をそのままの状態にして、反対側の左側の回転アタッチメント９の左回転作用を利用して上記と同様に行えばよい。
【００１７】
【発明の効果】
本発明は上記の如き構成、作用であるから、頬や目尻にシワや弛みが増えないようにする上で顕著な効果を奏するものである。そして、構造を簡略化したことにより従来品よりも部品点数が少なく、そのため低コストで製造することができる。また、顔面を半分宛交互にマッサージする場合に、モータの回転方向を従来の如く一々切り換える必要がないうえに、回転アタッチメントが回転しつつバイブレーションを起こすから、マッサージ効果は高まり、一層の血行促進効果を期待することができるのである。
【図面の簡単な説明】
【図１】顔面マッサージ器の一実施形態の全体の斜視図である。
【図２】同中央縦断正面図である。
【図３】右側の回転アタッチメントの表面側から見た図である。
【図４】右側の回転アタッチメントの裏面側から見た図である。
【図５】左側の回転アタッチメントの表面側から見た図である。
【図６】左側の回転アタッチメントの裏面側から見た図である。
【符号の説明】
１  顔面マッサージ器
２  グリップ部
３  モータ収容部
４  モータ
８  回転アタッチメント
９  回転アタッチメント
８ａ  渦巻き状の膨隆部
９ａ  渦巻き状の膨隆部
８ｂ  偏心錘部
９ｂ  偏心錘部
【図１】
0003713492.tif 000002
【図２】
0003713492.tif 000003
【図３】
0003713492.tif 000004
【図４】
0003713492.tif 000005
【図５】
0003713492.tif 000006
【図６】
0003713492.tif 000007